(57)【特許請求の範囲】
【請求項１】
空気流路に介設されて空気の抗菌・脱臭を行う抗菌・脱臭装置であり、
空気流路に連通し、底板部材と天井部材とを含む収容部を備えた中空箱形の機枠に着脱可能に装着され、空気流路に介在する光触媒フィルタと、
光触媒フィルタ近傍に設置された光源と、を有し、
光触媒フィルタは、光触媒を担持し空気の流れと略直交するように板面を向けて配置された厚板状の高強度連続空隙多孔質成型体を含む厚板状枠体からなり、
収容部の底板部材と天井部材のそれぞれの対向内側に設置されて互いに対向方向に突設されるとともに、底板部材と天井部材のそれぞれについて空気の流れ方向に間隔をあけて配置され、空気の流れと空間的に略直交する方向に長く設けられた複数の案内部材であって、底板部材と天井部材について該複数の案内部材とそれらの間隔とで形成される段差部分で光触媒フィルタを立てた状態でスライド出し入れ可能に案内し、さらに互いに対向方向に突設された突設端部においてその長手全体にわたって光源を設置させる複数の案内部材を備えたことを特徴とする抗菌・脱臭装置。
【請求項２】
光触媒フィルタは、本体とその支持枠と、を含み、
光触媒フィルタ本体は、多角形厚板体からなり、
光触媒フィルタの支持枠は、該多角形厚板体を着脱自在に嵌着保持させる構造からなることを特徴とする請求項１記載の抗菌・脱臭装置。
【請求項３】
光触媒フィルタ本体は、空気の流れと略直交するように板面を向けて配置した際に支持枠の下部枠上に載置されて該下部枠に沿ってスライド出し入れ可能に設けられていることを特徴とする請求項２記載の抗菌・脱臭装置。
【請求項４】
機枠は光触媒フィルタの支持枠自体を収容する収容部と、収容部に対向し空気流路の外部と内部とを気密閉鎖する開閉扉と、を含み、
光触媒フィルタの支持枠は、開閉扉を介して外部からスライド出し入れ自在に案内され、収容部内に装着保持されることを特徴とする請求項２又は３記載の抗菌・脱臭装置。
【請求項５】
光源は、電源線の長手方向に並列接続されて少なくとも空気流路を横切る方向に長い列状に設置された複数個の発光ダイオードランプからなる請求項１ないし４のいずれかに記載の抗菌・脱臭装置。
【発明の詳細な説明】
【技術分野】
【０００１】
本発明は、ビル等の空調機器に用いられる抗菌・脱臭装置に関し、特に病院や動物育舎等の室内で発生する雑菌や臭気等を除去する抗菌・脱臭装置に関する。
【背景技術】
【０００２】
従来、例えばビル等の空調機器において、一部外気を取込みつつ室内の空気を循環させる空調方式が取られている。その際、室内で発生する臭気や雑菌等の除去のために、例えば活性炭等を利用した空気フィルタを空気循環ルートに介設させることが行われる。しかしながら、活性炭等の場合には、ある程度の期間使用されて該活性炭の吸着容量が飽和すると脱臭、除菌性能は著しく低下する。従って、新しいものと定期的に交換しなければならないため、空調機器のランニングコストが高くなってしまうという問題があった。また、活性炭等では微粒子粉体を扱うので、具体的に空気フィルタとして適用する場合に、その詰め替えや、交換作業を伴い、煩雑で交換作業時間もかかるものであった。これに対し、例えば、特許文献１に示すものが開示されている。
【０００３】
特許文献１の図１ないし図３では、酸化チタン等の光触媒を担持させた縦長矩形状の光触媒フィルタ７を、所要の間隔を設けつつ空気の通風方向と所定の角度θ°を有して平行となるように複数枚配置させるとともに、吸込口１から吸込んだ空気を、それらのフィルタ７の間を通過させつつ臭気等を吸着させるものが開示されている。
【特許文献１】特開２００５−３３７５４９
【発明の開示】
【発明が解決しようとする課題】
【０００４】
しかし、特許文献１によれば、光触媒フィルタは、その本体が薄い不織布で形成され、その図３に示すように、該光触媒フィルタ自体を例えば数ｍｍ程度の間隔を維持しつつ数十枚立設支持させる必要があり、そのため空気流路中にそれらのフィルタを配設施工する際に、それぞれの不織布フィルタやその本体等の細かな位置決めや風量調整が必要であり、フィルタの取付、取外し作業が煩雑で時間がかかるという難点があった。また該薄い不織布状のフィルタを例えば数ｍｍ程度の間隔を維持しつつ平行にした状態で数十枚立設支持させることが可能な複雑な構造のフレームが必要になるという問題や、そのため装置の構造複雑化や製作コストが高くなるという問題があった。また、該光触媒フィルタをメンテナンスする際には、例えば一枚ごとに洗浄する必要がある等で、メンテナンス作業が煩雑になるとともに、薄い不織布で破れ易いという問題や、そのため組立作業やメンテナンス作業時の取り扱いが煩雑になるという問題があった。さらに、例えば該光触媒フィルタの洗浄等のメンテナンス作業のたびに光触媒を担持させた不織布の繊維が徐々に離脱し、フィルタの吸着能力が劣化しやすいという問題があった。
【０００５】
本発明は、上記従来の課題に鑑みてなされたものであり、その目的は、例えば空気流路の途中に装置を容易に取付けることができるとともに、装置のメンテナンス作業を容易に実施可能としつつメンテナンスコストを低廉に維持でき、しかも簡単なメンテナンス作業で吸着能力を回復させて半永久的に使用可能な抗菌・脱臭装置を提供することにある。
【課題を解決するための手段】
【０００６】
上記の目的を達成するために、本発明は、空気流路１４に介設されて空気の抗菌・脱臭を行う抗菌・脱臭装置１０であり、空気流路１４に連通し、底板部材２６と天井部材８０とを含む収容部３２を備えた中空箱形の機枠１２に着脱可能に装着され、空気流路１４に介在する光触媒フィルタ１６と、光触媒フィルタ１６近傍に設置された光源１８と、を有し、光触媒フィルタ１６は、光触媒を担持し空気の流れと略直交するように板面を向けて配置された厚板状の高強度連続空隙多孔質成型体を含む厚板状枠体からなり、収容部３２の底板部材２６と天井部材８０のそれぞれの対向内側に設置されて互いに対向方向に突設されるとともに、底板部材２６と天井部材８０のそれぞれについて空気の流れ方向に間隔をあけて配置され、空気の流れと空間的に略直交する方向に長く設けられた複数の案内部材７４ａであって、底板部材２６と天井部材８０について該複数の案内部材とそれらの間隔とで形成される段差部分で光触媒フィルタ１６を立てた状態でスライド出し入れ可能に案内し、さらに互いに対向方向に突設された突設端部においてその長手全体にわたって光源１８を設置させる複数の案内部材７４ａを備えた抗菌・脱臭装置から構成される。
【０００７】
その際、光触媒フィルタ１６は、本体２２とその支持枠２４と、を含み、光触媒本体２２は、多角形厚板体からなり、光触媒フィルタの支持枠２４は、該多角形厚板体を着脱自在に嵌着保持させる構造からなっていてもよい。
【０００８】
光触媒フィルタ本体２２は、空気の流れと略直交するように板面を向けて配置した際に支持枠２４の下部枠２８上に載置されて該下部枠２８に沿ってスライド出し入れ可能に設けられていてもよい。
【０００９】
また、光源１８は、電源線３６の長手方向に並列接続されて少なくとも空気流路１４を横切る方向ｙに長い列状に設置された複数個の発光ダイオードランプ３０からなっていてもよい。
【００１０】
さらに、機枠１２は光触媒フィルタの支持枠２４自体を収容する収容部３２と、収容部３２に対向し空気流路の外部と内部とを気密閉鎖する開閉扉３４と、を含み、光触媒フィルタの支持枠２４は、開閉扉３４を介して外部からスライド出し入れ自在に案内し、収容部３２内に装着保持されていてもよい。
【発明の効果】
【００１１】
空気流路に介設されて空気の抗菌・脱臭を行う抗菌・脱臭装置であり、空気流路に連通する機枠に着脱可能に装着され、空気流路に介在する光触媒フィルタと、光触媒フィルタ近傍に設置された光源と、を有し、光触媒フィルタは、光触媒を担持し空気の流れと略直交するように板面を向けて配置された厚板状の高強度連続空隙多孔質成型体を含む構成であるから、例えば、該厚板状の高強度連続空隙多孔質成型体の板面を空気の流れと略直交するよう向けた状態で、空気流路に設けられた機枠に光触媒フィルタを装着すれば済むので、特許文献１の不織布フィルタのような細かな位置決め風量調整作業等が不要となり、該フィルタの取付、取り外し操作が簡単になるとともに、取付、取り外し作業を極めて短時間で行うことができる。また、光触媒フィルタは、厚板状の高強度連続空隙多孔質成型体で形成されているので、例えば特許文献１の不織布によるフィルタを保持させる複雑な構造のフレーム等でなくとも簡単な構造のフレームでも確実に保持できるので、抗菌・脱臭装置の構造簡略化や低コスト化を図ることができる。さらに、使用により該フィルタの吸着能力が低下した場合には、該フィルタを機枠から取外して該多孔質成型体を例えば水で洗浄すること等で吸着能力を初期の状態に容易に回復させることができるので、該フィルタの吸着能力を回復させるためのメンテナンス作業を容易に行うことができるとともに、半永久的に使用可能な抗菌・脱臭装置を提供できる。加えて、光触媒フィルタの取り扱い時に破損させる虞も極めて少なく、該フィルタの取付けや取り外し作業時の煩雑性を軽減できるとともに、破損させて吸着能力を劣化させることもない。
【００１２】
また、光触媒フィルタは、本体とその支持枠と、を含み、光触媒フィルタ本体は、多角形厚板体からなり、光触媒フィルタの支持枠は、該多角形厚板体を着脱自在に嵌着保持させる構造からなる構成であるから、例えば該光触媒フィルタ本体の板面を空気の流れと略直交する様に配置させた状態で支持枠に確実に保持できるとともに、該フィルタ本体の支持枠への組み込みや取り外しを容易に行うことができる。
【００１３】
また、光触媒フィルタ本体は、空気の流れと略直交するように板面を向けて配置した際に支持枠の下部枠上に載置されて該下部枠に沿ってスライド出し入れ可能に設けられている構成であるから、該フィルタを支持枠の下部枠上をスライドさせて出し入れさせるという簡単な操作で光触媒フィルタ本体を支持枠に装着あるいは取外すことができるので、該フィルタの取付けや取り外し操作を容易かつ短時間で行うことができる。
【００１４】
また、光源は、電源線の長手方向に並列接続されて少なくとも空気流路を横切る方向に長い列状に設置された複数個の発光ダイオードランプからなる構成であるから、光触媒フィルタ本体を活性化させるために発光ダイオードランプを点灯させても例えば蛍光灯等よりも発熱量が少ないので、使用中の安全性が高まるとともに、従来発熱のために使用が制限されていた場所等への応用範囲が広まる。また、発光ダイオードランプは電源線の長手方向に列状に設置されているので、例えば電源線を折曲させて配列させる等の設置場所の構造に応じて配列させることができ、該発光ダイオードランプの取付け自由度が高まる。
【００１５】
また、機枠は光触媒フィルタの支持枠自体を収容する収容部と、収容部に対向し空気流路の外部と内部とを気密閉鎖する開閉扉と、を含み、光触媒フィルタの支持枠は、開閉扉を介して外部からスライド出し入れ自在に案内し、収容部内に装着保持される構成であるから、例えば開閉扉を開いて光触媒フィルタの支持枠をスライドさせつつ収容部内に出し入れ自在に装着できるので、光触媒フィルタの取付や取り外し操作の容易化が図れ、組み込み時間やメンテナンス作業時間の短時間化を図ることができる。
【発明を実施するための最良の形態】
【００１６】
以下、本発明を実施するための最良の形態について説明する。本発明の抗菌・脱臭装置は、光触媒を担持した板状の高強度連続空隙多孔質成型体を含む光触媒フィルタを、空気の流れと略直交するように該フィルタの板面を向けて配置させた状態で、空気流路に設けられた機枠に着脱自在に装着させるもので、そのため例えば空気流路の途中に装置を容易に取付けることができるとともに、装置のメンテナンス作業を容易に実施可能としつつメンテナンスコストを低廉に維持でき、しかも簡単なメンテナンス作業で吸着能力を回復させて半永久的に使用可能なものである。
【００１７】
図１ないし図９は、本発明に係る抗菌・脱臭装置の実施形態を示しており、本実施形態において抗菌・脱臭装置は、例えば図９に示すように、室内Ｒから排出される空気を再度室内に循環させる空気流路１４の途中に介設されて実施される。なお、図９において、空気流路１４を形成するダクト４４とは別体の機枠１２を該ダクト４４に連結させ、該機枠１２の中に光触媒フィルタ１６を装着させているが、例えばダクト４４の途中に開口を設けて該開口を介して光触媒フィルタ１６をダクト４４内に直接装着させてもよい。本実施形態において、抗菌・脱臭装置は、光触媒フィルタ１６と、光源１８と、厚板状の高強度連続空隙多孔質成型体（以下「成型体」という。）と、を有する。
【００１８】
本実施形態において、光触媒フィルタ１６は、空気中の菌類や臭気成分等を分解して吸着させるための分解吸着手段であり、光触媒フィルタ本体２２と、支持枠２４と、を含む。本実施形態において、光触媒フィルタ本体２２は、多角形厚板体からなり、該多角形厚板体は上述した成型体から構成されている。光触媒フィルタ本体２２は、以下のようにして得ることができる。まず、例えばポリウレタンフォームを、例えば３ｃｍ〜５ｃｍ程度の厚みで略３０ｃｍ程度の辺を有する略正方形厚板状に形成し、これを例えば炭化ケイ素粉末等を有機バインダと一緒に水等に分散させて調整したセラミックスラリに含浸し、その後これを乾燥・焼成してセラミック多孔質成型体を形成する。次に、このセラミック多孔質成型体に、光触媒物質である例えば酸化チタン等の粒子を水や溶媒に分散させた酸化チタンゾルに浸漬してこれらの酸化チタンを該成型体の表面にコーティングし、これを焼き付けることで、該成型体を得ることができる。したがって、例えば該光触媒フィルタ本体２２をその板面が空気の流れと略直交するように配置するだけで、該光触媒フィルタ本体２２を通過する空気は多孔質部に形成される連続空隙（図示しない）を通過しつつ空気中の菌類や臭気成分を多孔質部の表面に十分吸着させることができる。また、本実施形態の光触媒フィルタ本体２２は四角形厚板体（図４）で形成されているので、例えば該本体２２を空気の流れに直交する方向に向けた状態で保持させるための複雑な構造のフレーム等は不要となり、抗菌・脱臭装置の構造の簡略化を図ることができる。また、該光触媒フィルタ本体２２は、例えば取り扱い時に機枠１２等にぶつけても破損することもない程度の強度を有する。さらに、ある程度使用して分解・吸着能力が低下した場合には、例えば水等で光触媒フィルタ本体２２の表面を洗浄することで、該表面の吸着物質を洗い流して分解・吸着能力を容易に回復させることができる。なお、該光触媒フィルタ本体２２の寸法は、本実施形態のものに限らず、空気流路の断面やそこを通過させる空気の流量等に応じた任意の寸法に設定することができる。また、光触媒フィルタ本体は本実施形態の略正方形厚板状に限らず、長方形や六角形等の多角形状や円形厚板状に形成されていてもよい。
【００１９】
本実施形態において、支持枠２４は、光触媒フィルタ本体２２を着脱自在に嵌着保持する。図３に示すように、支持枠２４は、光触媒フィルタ本体２２を例えば４枚分保持できるように、全体が正面視で田字状に形成される。光触媒フィルタ本体２２を支持枠２４で支持した光触媒フィルタ１６は厚板状枠体となっている。より詳しくは、図３、図４に示すように、例えば該光触媒フィルタ本体２２の横辺の略２倍の長さで該光触媒フィルタ本体２２の幅よりやや広い幅を有する３本のＨ鋼部材６０を水平に向け、該光触媒フィルタ本体２２の略縦辺の長さの間隔を空けた状態で上中下の三列平行状態に配置し、これらのＨ鋼部材６０の長さ方向の中央部を垂直方向に横架する垂直なＨ鋼部材６２を配置した状態で、これらのＨ鋼部材６０、６２を例えば溶接等で連結固定する。次に、図３、図４に示すように、上述した垂直Ｈ鋼部材６２と略同じ長さと幅を有する断面コ字状部材６４を、水平なＨ鋼部材６０の両端部を垂直方向にそれぞれ横架させて配置する。その際、上述したコ字状部材６４は、図４に示すように、その下端部を最下列の水平Ｈ鋼部材６０の両端側に、例えば該水平Ｈ鋼部材６０を幅方向に貫通させるピン部材６６に軸支されつつ枢支連結される。そして、図４に示すように、該コ字状部材６４は該ピン部材６６に軸支されて垂直面を回動するとともに、その上端部を最上列に位置する水平Ｈ鋼部材６０の両端に、着脱自在にネジ部材６８等でそれぞれ係止連結される。したがって、図４に示すように、コ字状部材６４を枢支させて水平状態にすれば、上述した水平なＨ鋼部材の間７０に光触媒フィルタ本体２２を着脱自在に装着できる。その際、図４に示すように、光触媒フィルタ本体２２を立設させた状態で、その下側を例えばＨ鋼部材６０の溝で挟み込むようにしてその上をスライドさせることができる。すなわち、光触媒フィルタ本体２２はＨ鋼部材６０及びコ字状部材６４を下部枠２８として該下部枠２８に沿って簡単にスライド出し入れできる。なお、支持枠に支持される光触媒フィルタ本体の枚数は任意の枚数とすることができるし、支持枠の形状は本実施形態の形状に限定されるものではなく、装着される光触媒フィルタ本体の枚数や形状等に応じて例えば正面視で長方形や六角形等の多角形状や円形状に形成されていてもよい。
【００２０】
本実施形態において機枠１２は、収容部３２と、開閉扉３４と、機枠本体３８と、を含む。図５に示すように、収容部３２は、光触媒フィルタの支持枠２４自体を、その板面を空気の流れと略直交するように向けて収容させるための収容手段である。図５に示すように、収容部３２は、底板部材２６と、天井部材８０と、支柱７６と、を含み、全体が四角柱状の枠体で形成される。本実施形態において、底板部材２６は、長方形薄板材７２と、案内部材７４ａ、７４ｂと、を含む。図５、図６に示すように、長方形薄板材７２は、上述した光触媒フィルタの支持枠２４の横辺と略同じ長さの長辺と所要の幅を有する薄い鋼板部材で形成される。本実施形態において、案内部材７４ａ、７４ｂは、上述した光触媒フィルタの支持枠２４を底板部材２６上でスライドさせる際の案内手段である。図５、図６に示すように、案内部材７４ａは、上述した長方形薄板材７２の長辺と略同じ長辺と所要の幅である程度の厚さを有する短冊状板部材で形成される。また案内部材７４ｂは、上述した案内部材７４ａの長さと略同じ長さで、案内部材７４ａの厚さと略同じ厚さと幅を有する四角柱棒部材で形成される。そして、案内部材７４ａ、７４ｂは、図５、図６に示すように、その長辺を該長方形薄板材７２の長辺と平行にした状態で、光触媒フィルタ本体２２の幅と略同じ間隔を設けて該長方形薄板材７２上にネジ止め等で固定して設けられる。
【００２１】
次に、本実施形態において、収容部３２は、図５に示すように、光触媒フィルタの支持枠２４の縦辺と略同じ長さの支柱７６を、底板部材２６の四角のそれぞれに溶接等で垂設固定し、該底板部材２６と同じ構造で案内部材７４ａ、７４ｂを設けた天井部材８０を底板部材２６と対向させて配置し、これらの支柱の他端側に固定している。したがって、図５に示すように、収容部３２は、底板部材２６の短辺側を光触媒フィルタの支持枠２４の入出口８２とし、光触媒フィルタの支持枠２４を底板部材２６に立設させた状態で案内部材７４ａ、７４ｂに案内されつつ収容部３２にスライド出し入れ可能となる。底板部材２６と天井部材８０について複数の案内部材７４ａ，７４ｂとそれらの間隔とで形成される段差部分で光触媒フィルタ１６を案内している。また、収容部３２は、図５に示すように、該入出口８２を閉鎖させる側板７８を備え、該側板７８は支柱７６にネジ等で着脱可能に固定される。したがって、光触媒フィルタの支持枠２４を収容部３２に装着後は、該側板７８で入出口８２を閉鎖して光触媒フィルタの支持枠２４を収容部３２中に装着保持できるとともに、必要に応じて側板７８を外して光触媒フィルタの支持枠２４を取り出すことができる。また、本実施形態において、収容部３２には２個分の光触媒フィルタの支持枠２４を装着可能（図５）となっているが、必要に応じた任意の枚数とすることができることはいうまでもない。さらに、収容部は、本実施形態における全体が四角柱状の枠体に限らず、光触媒フィルタ本体の形状に応じた例えば円柱状の枠体で形成されていてもよい。
【００２２】
本実施形態において、機枠本体３８は、図１、図２に示すように、上述した収容部３２をその中に配置させる。その際、後述するプレフィルタ４６及びアフターフィルタ４８等を一緒に収容させてもよい。したがって、機枠本体３８は該収容部３２や他のフィルタ４６、４８を収容できる程度の大きさを有する全体が四角柱状の鋼製箱体で形成される。また、機枠本体３８は、図１、図２示すように、その箱体の一つの面を作業開口５２とし、光触媒フィルタ１６およびプレフィルタ４６等を出し入れさせる。そして、図２に示すように、機枠本体３８は、該作業開口５２を挟む両側の対向する面に連結管５３を設け、ダクト４４と連結している。よって、図２に示すように、空気流路（４４）を流れて来た空気は、機枠１２内をＩＮ側からＯＵＴ側へと流れてゆく。そして、収容部３２は、図１、図２、図６に示すように、光触媒フィルタ本体２２を収容部３２に収容させた状態で、該本体２２の板面が上述した空気の流れと略直交するように向けられて、作業開口５２の横辺の中央近傍の機枠本体３８内に例えばガイド部材４０等で挟持されて配置される。なお、図１、図２に示すように、光触媒フィルタ１６の前方にプレフィルタ４６を設け、室内で発生する埃等によって光触媒フィルタ１６の多孔質部が目詰まりしないようにすることが望ましい。さらに、図１、図２に示すように、例えば光触媒フィルタ１６の後方に、アフターフィルタ４８を設け、室内等への埃の侵入を防止してもよい。また、機枠本体３８は、本実施形態における四角柱状に限らず、収容部の形状に応じた例えば円柱状としてもよいし、六角柱状等の多角柱状に形成されていてもよい。また、鋼製に限らず例えばステンレス製等の他の金属製や、合成樹脂製であってもよい。
【００２３】
本実施形態において、開閉扉３４は、空気流路の外部と内部とを気密閉鎖する。図１、図６に示すように、開閉扉３４は、上述した機枠本体３８の作業開口５２の全体を覆う程度の大きさで所要の厚みを有する長方形状の板部材で形成される。そして、図１に示すように、一つの縦辺を例えば蝶番５４を介して機枠本体３８に枢支連結され、蝶番５４側と対向する縦辺側に係止部材５６を設け、該扉３４を係止している。したがって、図２に示すように、作業開口５２を開閉させる開閉扉３４（後述）は収容部３２に対向して配置される。したがって、図６に示すように、一旦収容部３２を機枠本体３８内に配置させれば、図７に示すように、光触媒フィルタの支持枠２４は、開閉扉３４を介して外部からスライド出し入れ自在に案内し、収容部３２内に装着保持される。また、開閉扉３４と機枠本体３８とが当接する部位に、例えばある程度弾性を有する合成樹脂（図示しない）を設けて空気流路の内外を気密閉鎖している。なお、開閉扉は、本実施形態の一個のものに限らず、例えば作業開口を機枠本体の対向する二面に設け、その二面のそれぞれに設けてもよい。また、例えばダクトに直接作業開口を設ける場合には、開閉扉をダクト等に直接取り付けてもよい。
【００２４】
本実施形態において、光源１８は、その光を光触媒フィルタ１６に照射することで、光触媒フィルタ本体２２に担持された酸化チタン等の光触媒を活性化させる。本実施形態において、光源１８は、複数個の発光ダイオードランプ３０を、空気流路を横切る方向に長い列状に設置されて形成される。より詳しくは、図６に示すように、単体の発光ダイオードランプ３０を例えば４個（３０１、３０２、３０３、３０４）並列接続させて形成されたランプユニット８４を、電源線３６の長手方向に沿って所要の間隔を設けつつ長い列状にそれらのランプユニット８４を複数個接続配置して形成される。したがって、光源１８は、電源線３６が柔軟に変形可能だから、全体が柔軟性、可撓性を有している。そして、これらのランプユニット８４は、図５、図６に示すように、上述した収容部３２の底板部材２６および天井部材８０に設置された案内部材７４ａ、７４ａ上に、その長さ方向全体に渡って長い列状に配置され、ネジ止め等で固設されている。すなわち、ランプユニット８４は、空気流路１４を横切るように長い列状に設置される。したがって、光触媒フィルタ支持枠２４を収容部３２に装着させれば発光ダイオードランプ３０の光は、光触媒フィルタ１６の上部側及び下部側から板面全体を満遍なく照射して効率的に光触媒を活性化する。なお、発光ダイオードランプ３０は、公知の発光ダイオードランプを用いることができるが、光触媒が例えば酸化チタンの場合には３８０ｎｍ以下の発光波長のものを選択する等、光触媒の種類に応じた波長のものを選択することが好ましい。以上のように、発光ダイオードランプ３０を用いることで、従来の蛍光灯等に比較して発熱量を抑えることが可能となり、従来発熱のために使用が制限されていた場所等への応用範囲が広まる。また、ランプユニット８４は電源線３６の長手方向に沿って所要の間隔を空けて列状に配置されるので、電源線３６を例えば柔軟性、可撓性を有する公知の電気コード等で形成し、下地の凹凸等の必要に応じて該電源線３６を折曲させつつ配置させることもでき、施工自由度が高まる。また、本実施形態において、光源１８は発光ダイオードランプのランプユニット８４を単位としているが、これに限るものではなく、例えば個々の発光ダイオードランプ３０をメッシュ状に組んで光触媒フィルタの板面に近接させて配置させ、該板面の全体を照射させるよう形成してもよいし、所要の位置に反射板等を配置させてもよい。また、図８に示すように、公知の水銀ランプ８６等で形成してもよい。
【００２５】
次に、本実施形態による抗菌・脱臭装置の作用について図１ないし図９に基づいて説明する。まず、図１に示すように、例えばダクト４４の途中の所要位置に、連結管５３を介して機枠１２を設置する。つぎに、図６に示すように、開閉扉３４を開け、収容部３２を機枠１２内に配置させる。次に、光触媒フィルタの支持枠２４に光触媒フィルタ本体２２を嵌着保持させる。その際光触媒フィルタ本体２２は、図４に示すように、空気の流れと略直交するようにその板面を向けて、支持枠２４の下部枠２８上に載置させつつ該下部枠２８に沿って容易にスライド出し入れできる。次に、図７に示すように、光触媒フィルタ支持枠２４を収容部３２内に装着する。その際、光触媒フィルタの支持枠２４は、開閉扉３４を介して外部からスライド出し入れ自在に案内されて、収容部内に装着保持される。その後、図７に示すように、収容部３２の入出口８２を側板７８で閉鎖させる。次に、必要に応じて、プレフィルタ４６やアフターフィルタ４８を装着し、開閉扉３４で作業開口５２を気密閉鎖する。その後、例えばファン（図９）がＯＮの状態の時に、光源１８をＯＮにして光触媒フィルタ１６を活性化させつつ空気循環を行う。その際、例えば抗菌・脱臭装置のＩＮ側およびＯＵＴ側に差圧計を設置し、光触媒フィルタ１６のメンテナンス時期を通報させてもよい。そして、該光触媒フィルタ１６の分解・吸着能力が低下した等の必要に応じて、光触媒フィルタの支持枠２４を収容部３２からスライド自在に引き抜き、さらに図４に示すように、光触媒フィルタ本体２２を該支持枠２４から外して光触媒フィルタ本体２２自体を水等で洗浄して分解・吸着能力を回復させ、再利用させることができる。もちろん、光触媒フィルタ支持枠２４を収容部３２に最初に装着しておいて、その後収容部３２ごと機枠１２に収容することもできる。
【００２６】
以上のように、本発明の抗菌・脱臭装置によれば、空気流路の途中に装置を容易に取付け、取外すことができ、そのため、短時間で装置を組み込む、組み外すことができるとともに、装置のメンテナンス作業を容易に実施可能としつつメンテナンスコストを低廉に維持でき、しかも簡単なメンテナンス作業で分解・吸着能力を回復させて半永久的に使用可能な抗菌・脱臭装置を提供できる。
【００２７】
以上説明した本発明の空気流路に設置される抗菌・脱臭装置は、上記した実施例のみに限定されるものではなく、特許請求の範囲に記載した本発明の本質を逸脱しない範囲において、任意の改変を行ってもよい。
【産業上の利用可能性】
【００２８】
本発明の抗菌・脱臭装置は、ビル等の空調システムのみならず一般家庭の空調機器に至るまで幅広く適用し得る。
【図面の簡単な説明】
【００２９】
【図１】本発明の実施形態に係る抗菌・脱臭装置の一部切り欠いた正面図である。
【図２】図１のＡ−Ａ線断面図である。
【図３】本発明の実施形態に係る光触媒フィルタの正面図である。
【図４】本発明の実施形態に係る光触媒フィルタの説明斜視図である。
【図５】本発明の実施形態に係る光触媒フィルタの収容部を説明する概略斜視図である。
【図６】本発明の実施形態に係る抗菌・脱臭装置を説明する概略断面図である。
【図７】本発明の実施形態に係る抗菌・脱臭装置を説明する概略断面図である。
【図８】本発明の実施形態に係る抗菌・脱臭装置の他の実施例の説明斜視図である。
【図９】本発明の実施形態に係る抗菌・脱臭装置を組み込んだ空調システムの概略説明図である。
【符号の説明】
【００３０】
１０    抗菌・脱臭装置
１２    機枠
１４    空気流路
１６    光触媒フィルタ
２２    本体
２４    支持枠
２８    下部枠
３０    発光ダイオードランプ
３２    収容部
３４    開閉扉
３６    電源線
【図１】
0005156957.tif 000002
【図２】
0005156957.tif 000003
【図３】
0005156957.tif 000004
【図４】
0005156957.tif 000005
【図５】
0005156957.tif 000006
【図６】
0005156957.tif 000007
【図７】
0005156957.tif 000008
【図８】
0005156957.tif 000009
【図９】
0005156957.tif 000010